(57)【要約】      （修正有）【課題】リニアスライドレールにボールを嵌め込む際、取り付け効率が高く、作業が容易となる取り付け用治具装置を提供する。【解決手段】ボール取り付けレール２は、突合せレール１の一端に成形され、２本の揺動アーム２１及び一枚の折畳み板２２を有し、２本の揺動アーム２１は、突合せレール１の一端から延伸して成形され、２本の揺動アーム２１は、第二の治具スライドウェイ２１１及びヒンジ部２１２をそれぞれ配する。２本の第二の治具スライドウェイ２１１は、２本の第一の治具スライドウェイ１１に対応して成形され、２つのヒンジ部２１２は、２本の揺動アーム２１と突合せレール１の一端との接続部位にそれぞれ成形され、折畳み板２２は２本の揺動アーム２１の端末の間に設けられ、折畳み板２２は２本の折畳みエッジ２２１及び内折畳み部２２２を有し、２本の折畳みエッジ２２１は、折畳み板２２の両側と２本の揺動アーム２１の端末との接続部位に成形され、内折畳み部２２２は折畳み板２２の中間部位に成形される。【選択図】図１
0003152785.tif 000002
【実用新案登録請求の範囲】
【請求項１】
両側に第一の治具スライドウェイをそれぞれ有する突合せレールと、
前記突合せレールの一端に成形されたボール取り付けレールと、を備えるリニアスライドレールの取り付け用治具装置において、
前記ボール取り付けレールは、２本の揺動アーム及び一枚の折畳み板を有し、
前記２本の揺動アームは、前記突合せレールの一端から延伸して成形され、
前記２本の揺動アームは、第二の治具スライドウェイ及びヒンジ部をそれぞれ有し、
前記２本の第二の治具スライドウェイは、前記２本の第一の治具スライドウェイに対応して成形され、
前記２つのヒンジ部は、前記２本の揺動アームと前記突合せレールの一端との接続部位にそれぞれ成形され、
前記折畳み板は前記２本の揺動アームの端末の間に設けられ、且つ前記折畳み板の両側は前記２本の揺動アームの内側にそれぞれ連結され、
前記折畳み板は２本の折畳みエッジ及び内折畳み部を有し、
前記２本の折畳みエッジは、前記折畳み板の両側と前記２本の揺動アームの端末との接続部位に成形され、
前記内折畳み部は、前記折畳み板の中間部位に成形され、
これにより、ボール取り付けレールでボールをスライダとレールとの間に嵌め込むとともに、突合せレールでボールを落さないようにしながらスライダをレール上に取り付けることを特徴とするリニアスライドレールの取り付け用治具装置。
【請求項２】
前記ボール取り付けレールは指押し部を有し、
前記指押し部は前記折畳み板の内側に設けられ、且つ前記内折畳み部から前記突合せレールの方向へ延伸して成形されることを特徴とする請求項１に記載のリニアスライドレールの取り付け用治具装置。
【請求項３】
前記指押し部は接続板を有し、
前記接続板は、前記指押し部と折畳み板の内折畳み部を接続し、
前記指押し部は複数の凸リブを有し、
前記凸リブは、前記指押し部の下端面に配列して成形されることを特徴とする請求項２に記載のリニアスライドレールの取り付け用治具装置。
【請求項４】
前記２本の揺動アームは、スリット状溝をそれぞれ有し、
前記スリット状溝は、前記揺動アームと突合せレールの一端との接続部位に成形されることを特徴とする請求項１に記載のリニアスライドレールの取り付け用治具装置。
【請求項５】
前記ボール取り付けレールは２枚の斜め伸出し板を有し、
前記２枚の斜め伸出し板は、前記２本の揺動アームの間に設けられ、且つ、前記突合せレールの一端から相対的に斜めに延伸して成形され、
前記２枚の斜め伸出し板の間は、前記指押し部に対応して形成された凹み空間を有することを特徴とする請求項３に記載のリニアスライドレールの取り付け用治具装置。
【考案の詳細な説明】
【技術分野】
【０００１】
本考案は、リニアスライドレールの取り付け用治具装置に関し、特に、リニアスライドレールにボールを嵌め込むこと及びレールを取り付けることに対して補助できる治具装置に関するものである。
【背景技術】
【０００２】
リニアスライドレールは、工作機械または様々な計測機械に幅広く適用され、リニアスライドレールの運動による摩擦力は小さいので、最小移動単位（ｌｅａｓｔ  ｃｏｍｍａｎｄ  ｉｎｃｒｅｍｅｎｔ）が正確で且つ電力消費も相応に低下され、また、リニアスライドレールの材質は熱処理に適し、精度が安定しており、機械性能が良く、より長い使用寿命を有する。
【０００３】
リニアスライドレールは、極めて精密な機具であるので、将来に渡って使用される際に、極めて大きな誤差及び後続の補正作業の不便が増加することを防ぐため、取り付けの過程において激烈な衝撃や振動を避け、取り付けの際に慎重に注意を払わなければならない。
【０００４】
従来のリニアスライドレールは、ボールを嵌め込み及びレールを突き合わせて取り付ける時に、多くの不便がある。スライダとレールとの間のスライドウェイによる空間は、ボールの体積のみ収容できるので、ボールを嵌め込む時に慎重に対応し嵌め込まなければならなく、ボールが嵌め込まれた後に、さらに、スライダ全体をレールに突き合わせて取り付けるが、この取り付け方式は、作業し難く且つ工数もかかり、工作効率は低下される。
【０００５】
そのため、本考案者は、前記欠点が改良できることを目的として、長年に渡ってこの領域で積み立てた経験により、専念な観察かつ研究をし、さらに学術理論の運用に合せ、やっと合理的な設計且つ前記の欠点を有効に改良できた本考案を提案した。
【考案の概要】
【考案が解決しようとする課題】
【０００６】
本考案の主な目的は、使用者がボールをスライダとレールとの間に嵌め込み易くなり、取り付け効率が有効に向上され、また、同時に、使用者がスライダをレール上にスムーズに突き合わせて取り付け易くなるリニアスライドレールの取り付け用治具装置を提供することにある。
【課題を解決するための手段】
【０００７】
前記目的を達成するため、本考案に係るリニアスライドレールの取り付け用治具装置は、両側に第一の治具スライドウェイをそれぞれ有する突合せレールと、前記突合せレールの一端に成形されたボール取り付けレールとを備える。前記ボール取り付けレールは、２本の揺動アーム及び一枚の折畳み板を有し、前記２本の揺動アームは、前記突合せレールの一端から延伸して成形され、前記２本の揺動アームは、第二の治具スライドウェイ及びヒンジ部をそれぞれ有し、前記２本の第二の治具スライドウェイは、前記２本の第一の治具スライドウェイに対応して成形され、前記２つのヒンジ部は、前記２本の揺動アームと前記突合せレールの一端との接続部位にそれぞれ成形され、前記折畳み板は前記２本の揺動アームの端末の間に設けられ、且つ前記折畳み板の両側は前記２本の揺動アームの内側にそれぞれ連結され、前記折畳み板は２本の折畳みエッジ及び内折畳み部を有し、前記２本の折畳みエッジは、前記折畳み板の両側と前記２本の揺動アームの端末との接続部位に成形され、前記内折畳み部は、前記折畳み板の中間部位に成形される。ボール取り付けレールによりボールをスライダとレールとの間に嵌め込むとともに、ボールを落さないように突合せレールでスライダをレール上に取り付ける。
【０００８】
本考案は、以下の有利な効果がある。
１、折畳み板が内側へ折り畳まれると、該２本の揺動アームは内側へ同期して揺動され、これにより、先端がより狭い尖状構造体を形成し、スライダがボール取り付けレールを横断して設けられると、スライダの滑り座スライドウェイと該揺動アームの第二の治具スライドウェイとは、使用者がボール嵌め込み作業をスムーズに行えるための大きな開口を形成できる。
２、突合せレールをレールに突き合わせ、ボール嵌め込み作業を完了すると、スライダが該第二の治具スライドウェイに沿って第一の治具スライドウェイにまで摺動され、最終的にレールにまで摺動され、これにより、リニアスライドレールの組み立てを容易且つ早く完成できる。
３、ボール取り付けレールは、使用者によりボールをスライダとレールとの間に嵌め込み易くなり、また、突合せレールは、使用者によりスライダをレール上にスムーズに突き合わせて取り付け易くなり、即ち、本考案は、ボールの嵌め込み及びレールを突合せて取り付ける機能を同時に備え、これにより、取り付け効率を有効に向上できる。
【０００９】
本考案の特徴及び技術内容を、以下の本考案に係る詳しい説明及び添付図面を参照することにより、深く且つ具体的な了解を得られるが、それらの添付図面が参考及び説明のみに使われ、本考案の実用新案登録請求の範囲を狭義的に局限するものではないことは言うまでもないことである。
【図面の簡単な説明】
【００１０】
【図１】本考案に係るリニアスライドレールの取り付け用治具装置を表側から見た斜視図である。
【図２】図１に示すリニアスライドレールの取り付け用治具装置を裏側から見た斜視図である。
【図３】本考案に係るリニアスライドレールの取り付け用治具装置が閉合された状態を示す斜視図である。
【図４】図３に示すリニアスライドレールの取り付け用治具装置を裏側から見た斜視図である。
【図５】本考案によるスライダのレールへの取り付けを示す図（一）である。
【図６】本考案によるスライダのレールへの取り付けを示す図（二）である。
【図７】本考案によるスライダのレールへの取り付けを示す図（三）である。
【図８】本考案によるスライダのレールへの取り付けを示す図（四）である。
【考案を実施するための形態】
【００１１】
図１〜図８を参照に示すように、本考案に係るリニアスライドレールの取り付け用治具装置は、突合せレール１と、ボール取り付けレール２とを備える。
【００１２】
図１及び図２に示すように、突合せレール１及びボール取り付けレール２は、高分子材料で成形され、突合せレール１の両側に第一の治具スライドウェイ１１をそれぞれ有し、第一の治具スライドウェイ１１は、ボールの円周に対応して形成された弧形溝であり、且つ突合せレール１の前後両端に開通される。
【００１３】
ボール取り付けレール２は、２本の揺動アーム２１、折畳み板２２、指押し部２３及び２枚の斜め伸出し板２４を備える。ボール取り付けレール２は、突合せレール１の一端に一体成形され、２本の揺動アーム２１は、突合せレール１の一端から延伸して成形され、揺動アーム２１の外形は、略長尺板状のアーム構造であり、２本の揺動アーム２１の外側に、第二の治具スライドウェイ２１１をそれぞれ有し、第二の治具スライドウェイ２１１は、第一の治具スライドウェイ１１に対応して成形された弧形溝であり、第二の治具スライドウェイ２１１は、ボール取り付けレール２の前後両端に開通され且つ第一の治具スライドウェイ１１に突き合せられる。
【００１４】
図３及び図４に示すように、２本の揺動アーム２１は、ヒンジ部２１２及びスリット状溝２１３をそれぞれ有し、２つのヒンジ部２１２は、２本の揺動アーム２１と突合せレール１の一端との接続部位にそれぞれ成形され、スリット状溝２１３も、揺動アーム２１と突合せレール１の一端との接続部位に成形され、且つ、ヒンジ部２１２に沿って直線的に延伸して成形される。突合せレール１及びボール取り付けレール２はともに高分子材料で成形され、ヒンジ部２１２はその中のより薄く長い部分であるので、高分子材料の塑性により複数回の回動を繰り返して行われても断裂せず、言い換えれば、揺動アーム２１は、ヒンジ部２１２を中心として予期した通りの揺動動作を行える。
【００１５】
折畳み板２２は２本の揺動アーム２１の端末の間に設けられ、且つ折畳み板２２の両側は２本の揺動アーム２１の内側にそれぞれ連結され、折畳み板２２は２本の折畳みエッジ２２１及び内折畳み部２２２を有し、上記のヒンジ部２１２と同じように、折畳みエッジ２２１及び内折畳み部２２２も、複数回の回動を繰り返して行われても断裂しない。２本の折畳みエッジ２２１は、折畳み板２２の両側と２本の揺動アーム２１の端末との接続部位に成形され、内折畳み部２２２は、折畳み板２２の中間部位に成形される。
【００１６】
指押し部２３は、折畳み板２２の内側に設けられ、且つ内折畳み部２２２から突合せレール１の方向へ延伸して成形される。指押し部２３は、複数の凸リブ２３１及び接続板２３２を有し、これらの凸リブ２３１は、指押し部２３の下端面に配列して成形され且つ横方向に配列され、接続板２３２は、指押し部２３と折畳み板２２の内折畳み部２２２を接続する。指押し部２３は、使用者により手で引いて動かされ、これらの凸リブ２３１は、適当な摩擦力を提供する。
【００１７】
このように、指押し部２３がボール取り付けレール２の縦長方向に沿って作動すると、折畳み板２２を連動させて２本の折畳みエッジ２２１及び内折畳み部２２２により折り畳んで「Ｖ」字状に形成する（図４に示すように）。
【００１８】
２枚の斜め伸出し板２４は、２本の揺動アーム２１の間に設けられ、且つ、突合せレール１の一端から相対的に斜めに延伸して成形される。２枚の斜め伸出し板２４の間は、指押し部２３に対応して形成された凹み空間２４１を有する。２枚の斜め伸出し板２４は、２本の揺動アーム２１が当接するために設けられ、構造の損壊を避けるように２本の揺動アーム２１の揺動幅を規制し、凹み空間２４１は、指押し部２３に対応して形成された縦長弧形溝であり、指押し部２３を収容できる。
【００１９】
図３及び図４に示すように、使用者は指で凹み空間２４１にまで指押し部２３を内側に押圧すると、折畳み板２２を内側へ同期して連動させて「Ｖ」字状に形成できるとともに、２本の揺動アーム２１も内側へ同期して揺動させてボール取り付けレール２を尖状構造体に構成させる。
【００２０】
図５〜図８に示すように、本考案は、リニアスライドレールの取り付け用治具とし、一般に、リニアスライドレールは、スライダ３及びレール４を含み、スライダ３は、滑り座本体３１及び二つの端蓋３２を有し、滑り座本体３１の内側に２本の滑り座スライドウェイ３１１が設けられ、レール４の両側にレールスライドウェイ４１をそれぞれ有し、該２本の滑り座スライドウェイ３１１及び該レールスライドウェイ４１は、第一の治具スライドウェイ１１及び第二の治具スライドウェイ２１１に対応して成形された弧形溝であり、滑り座スライドウェイ３１１は、第一の治具スライドウェイ１１（または第二の治具スライドウェイ２１１）と、ボールが回動する通路を構成できる。
【００２１】
図５に示すように、使用者は、スライダ３にボールを嵌め込みかつレール４に取り付けようとすると、先ず、スライダ３をボール取り付けレール２上に横断して設置し、且つ指で指押し部２３を内側へ押圧して、２本の対向する揺動アーム２１を内側へ揺動し尖状構造体に構成させ、此の際、ボール取り付けレール２の第二の治具スライドウェイ２１１と滑り座本体３１の滑り座スライドウェイ３１１とは、広幅のピッチを有する開口を形成し、ボールをスライダ３内に容易且つスムーズに嵌め込める。
【００２２】
図６に示すように、使用者がスライダ３にボールを嵌め込む作業を完了すると、端蓋３２を滑り座本体３１にカバーし、且つ、スライダ３を第二の治具スライドウェイ２１１及び突合せレール１の第一の治具スライドウェイ１１に沿ってレール４のレールスライドウェイ４１に移動させる。
【００２３】
図７及び図８に示すように、上記動作をしてから、使用者は、突合せレール１をレール４の一端から外して、これにより、スライダ３はレール４に完全に取り付けられ、予期した通りの精密な往復直線運動を行うことができる。
【００２４】
本考案によって以下の効果及び特徴がある。
１、折畳み板２２が内側へ折り畳まれると、該２本の揺動アーム２１を内側へ同期して揺動させることで、先端がより狭い尖状構造体を形成し、スライダ３がボール取り付けレール２を横断して設けられると、スライダ３の滑り座スライドウェイ３１１と該揺動アーム２１の第二の治具スライドウェイ２１１とは、使用者がボール嵌め込み作業をスムーズに行えるための大きな開口を形成できる。
２、突合せレール１をレール４に突き合わせ、ボール嵌め込み作業を完了すると、スライダ３が該第二の治具スライドウェイ２１１に沿って第一の治具スライドウェイ１１に摺動され、さらにレール４にまで摺動され、これにより、リニアスライドレールの組み立てを容易且つ早く完成できる。
３、ボール取り付けレール２は、使用者によりボールをスライダ３とレール４との間に嵌め込み易くなり、また、突合せレール１は、使用者によりスライダ３をレール４上にスムーズに突き合わせて取り付け易くなり、即ち、本考案は、ボールの嵌め込み及びレール４を突合せて取り付ける機能を同時に備え、これにより、取り付け効率を有効に向上できる。
【００２５】
以上のように、本考案は、実用新案の要件を満たすので、法に従って出願する。しかし、以上に掲示されたのは単に本考案の好ましい実施例に過ぎず、本考案の実用新案登録請求の範囲を局限するものではなく、いずれの当該分野における通常の知識を有する当業者は、本考案の分野の中で、適当に変更や修飾などを実施できるが、それらの実施が本考案の実用新案登録請求の範囲内に納入されるべきことは言うまでもないことである。
【符号の説明】
【００２６】
１  突合せレール
２  ボール取り付けレール
１１  第一の治具スライドウェイ
２１  揺動アーム
２２  折畳み板
２３  指押し部
２４  斜め伸出し板
２１１  第二の治具スライドウェイ
２１２  ヒンジ部
２１３  スリット状溝
２２１  折畳みエッジ
２２２  内折畳み部
２３１  凸リブ
２３２  接続板
２４１  凹み空間
３  スライダ
４  レール
３１  滑り座本体
３２  端蓋
３１１  滑り座スライドウェイ
４１  レールスライドウェイ
【図１】
0003152785.tif 000003
【図２】
0003152785.tif 000004
【図３】
0003152785.tif 000005
【図４】
0003152785.tif 000006
【図５】
0003152785.tif 000007
【図６】
0003152785.tif 000008
【図７】
0003152785.tif 000009
【図８】
0003152785.tif 000010